(57)【特許請求の範囲】
【請求項１】
シリンダ状のポンプ本体と、該ポンプ本体内に往復移動自在に挿入されるピストンと、該ピストンから上方に延びるステムと、前記ポンプ本体の上端部を閉塞しかつ前記ステムが往復移動自在に挿通されるガイド穴を有するアッパキャップと、前記ステム上端に接続されるエジェクタヘッドと、該エジェクタヘッドに設けられ前記ステムを通じてポンプ本体内部に連通する吐出ノズルと、前記ポンプ本体を容器に装着し保持するコンテナキャップとを備え、前記アッパキャップの外側面に雄ねじを設けて前記エジェクタヘッドの内周面の雌ねじとねじ嵌合してエジェクタヘッドを押し下げ状態に保持可能としたポンプディスペンサにおいて、
前記アッパキャップとエジェクタヘッドとの間に、締め込み方向に係合してエジェクタヘッドのねじ込み量を規制するストッパ手段を設け、
前記アッパキャップには、外面にラチェット歯を有する略円筒状の筒を立設するとともに、前記エジェクタヘッドには前記ラチェット歯を弾性変形しながら乗り越えて前記ラチェット歯の噛合面と噛合する係止片が設けられ、ストッパ手段はエジェクタヘッドの締め込み方向に沿って係止片がラチェット歯を乗り越えた位置にて係合する構成となっていることを特徴とするポンプディスペンサ。
【請求項２】
ストッパ手段は、アッパキャップの雄ねじのねじ山終端近傍に設けられたストッパにエジェクタヘッドの雌ねじのねじ山始端が突き当たる構成としたことを特徴とする請求項１に記載のポンプディスペンサ。
【請求項３】
ストッパ手段は、エジェクタヘッドの雌ねじのねじ山終端近傍に設けられたストッパにアッパキャップの雄ねじのねじ山始端が突き当たる構成としたことを特徴とする請求項１に記載のポンプディスペンサ。
【請求項４】
シリンダ状のポンプ本体と、該ポンプ本体内に往復移動自在に挿入されるピストンと、該ピストンから上方に延びるステムと、前記ポンプ本体の上端部を閉塞しかつ前記ステムが往復移動自在に挿通されるガイド穴を有するアッパキャップと、前記ステム上端に接続されるエジェクタヘッドと、該エジェクタヘッドに設けられ前記ステムを通じてポンプ本体内部に連通する吐出ノズルと、前記ポンプ本体を容器に装着し保持するコンテナキャップとを備え、前記アッパキャップの外側面に雄ねじを設けて前記エジェクタヘッドの内周面の雌ねじとねじ嵌合してエジェクタヘッドを押し下げ状態に保持可能としたポンプディスペンサにおいて、
前記アッパキャップとエジェクタヘッドとの間に、エジェクタヘッドのねじ込み量を規制するストッパ手段が設けられ、該ストッパ手段は、エジェクタヘッドの下端とアッパキャップ上面との間で上下方向に係合する凹凸部によって構成され、凹部と凸部が回転方向両端で当接し、締付け方向に係合する係合端部が回転方向に対して直交する面、弛み方向に係合する係合端部が傾斜面となっていることを特徴とするポンプディスペンサ。
【発明の詳細な説明】
【０００１】
【発明の属する技術分野】
本発明は、容器の開口部に取り付けられ、容器内部の液体内容物を吐出または噴霧するポンプディスペンサに関し、特に、エジェクタヘッドをアッパキャップに螺合してロックする際の過剰締め付けを防止することができるポンプディスペンサに関する。
【０００２】
【従来の技術】
従来のこの種のポンプディスペンサとしては、シリンダ状のポンプ本体と、このポンプ本体内に往復移動自在に挿入されるピストンと、ピストンから上方に延びるステムと、前記ポンプ本体の上端部を閉塞しかつ前記ステムが往復移動自在に挿通されるガイド穴を有するアッパキャップと、前記ステム上端に接続されるエジェクタヘッドと、該エジェクタヘッドに設けられ前記ステムを通じてポンプ本体内部に連通する吐出ノズルと、前記ポンプ本体を容器に装着し保持するコンテナキャップとを備えた構成となっている。
【０００３】
そして、前記アッパキャップの外側面には雄ねじを設けると共に、前記エジェクタヘッドの内周面には雌ねじを設け、出荷時には、エジェクタヘッドを押し下げてアッパキャップに螺合してロックし、使用時に、エンドユーザがエジェクタヘッドを回転して開栓するようになっていた。
【０００４】
【発明が解決しようとする課題】
しかしながら上記した従来技術の場合には、ロック時におけるエジェクタヘッドの締め込み量が一定していなかったため、ロック状態が安定しないという問題があった。
すなわち、エジェクタヘッドを締め込み過ぎると摩擦トルクが過大となって開栓し難い。特に、コンテナキャップと容器本体とのねじ嵌合力より大きくなった場合には、コンテナキャップが共回りしてしまう。
一方、エジェクタヘッドの締め込みが弱いと、アッパキャップの雄ねじとエジェクタヘッドのスカート部内面の雌ねじ間の摩擦力が小さくなり、例えば容器に装着された状態で店頭に陳列された時に、ロック状態が解除されてしまう可能性もあった。
【０００５】
そこで、本出願人は、既に、アッパキャップ天面のガイド穴近傍には外面にラチェット歯を有する略円筒状の筒を立設するとともに、エジェクタヘッドにはラチェット歯を乗り越えて弾性変形してラチェット歯の噛合面と噛合する係止片を設けることにより、締め込み量の安定化を図るポンプディスペンサを提案している（特開２００１−２４７１４６号公報参照）。
この公報に記載のラチェット歯と係止片の機構を用いることにより、締め込み量の安定化には一定の効果が得られるものの、乗り越えた後の停止位置が一定せず、なお、締め込み過ぎとなる可能性があった。
【０００６】
本発明は上記した従来技術の課題を解決するためになされたものであって、その目的とするところは、エジェクタヘッドを確実にロック状態とすることができ、しかもエジェクタヘッドの締まり過ぎを防止し得るポンプディスペンサを提供することにある。
さらに、不用意にエジェクタヘッドの締め付けが弛んでロック状態が解除されることを防止し得るポンプディスペンサを提供することにある。
【０００７】
【課題を解決するための手段】
上記目的を達成するために、本発明にあっては、シリンダ状のポンプ本体と、該ポンプ本体内に往復移動自在に挿入されるピストンと、該ピストンから上方に延びるステムと、前記ポンプ本体の上端部を閉塞しかつ前記ステムが往復移動自在に挿通されるガイド穴を有するアッパキャップと、前記ステム上端に接続されるエジェクタヘッドと、該エジェクタヘッドに設けられ前記ステムを通じてポンプ本体内部に連通する吐出ノズルと、前記ポンプ本体を容器に装着し保持するコンテナキャップとを備え、前記アッパキャップの外側面に雄ねじを設けて前記エジェクタヘッドの内周面の雌ねじとねじ嵌合してエジェクタヘッドを押し下げ状態に保持可能としたポンプディスペンサにおいて、前記アッパキャップとエジェクタヘッドとの間に、締め込み方向に係合してエジェクタヘッドのねじ込み量を規制するストッパ手段を設け、前記アッパキャップには、外面にラチェット歯を有する略円筒状の筒を立設するとともに、前記エジェクタヘッドには前記ラチェット歯を弾性変形しながら乗り越えて前記ラチェット歯の噛合面と噛合する係止片が設けられ、ストッパ手段はエジェクタヘッドの締め込み方向に沿って係止片がラチェット歯を乗り越えた位置にて係合する構成となっていることを特徴とする。
【０００８】
ストッパ手段は、アッパキャップの雄ねじのねじ山終端近傍に設けたストッパにエジェクタヘッドの雌ねじのねじ山始端が突き当たる構成としたことを特徴とする。
【０００９】
ストッパ手段は、エジェクタヘッドの雌ねじのねじ山終端近傍に設けられたストッパにアッパキャップの雄ねじのねじ山始端が突き当たる構成としてもよい。
【００１０】
また、ストッパ手段は、エジェクタヘッドの下端とアッパキャップ上面との間で上下方向に係合する凹凸部によって構成してもよい。
【００１２】
【発明の実施の形態】
以下に本発明を図示の実施の形態に基づいて説明する。
実施の形態１
図１乃至図５は本発明の実施の形態１に係るポンプディスペンサを示している。
このポンプディスペンサ１は、図４，図５に示すように、据置型のシャンプー容器等に用いられるもので、容器（図示しない）の開口部から容器内に挿入され内部に液体を貯留するポンプ室を備えたシリンダ状のポンプ本体２と、ポンプ本体２内に往復移動自在に挿入されポンプ室の容積を拡張、収縮させる可動部材としてのピストン４と、ピストン４から上方に延びてピストン４を操作するためのステム６と、ポンプ本体２の上端部を閉塞しかつステム６が往復移動自在に挿通されるガイド穴５を有するアッパキャップ３と、ステム６上端に接続されるエジェクタヘッド７と、エジェクタヘッド７に設けられステム６を通じてポンプ本体２内部に連通する吐出ノズル８と、ポンプ本体２を容器に装着し保持するコンテナキャップ１９とを備えている。
【００１３】
上記ポンプ本体２の下端には容器内とを連通する吸入通路１０が、ステム６にはポンプ本体２内部とエジェクタヘッド７の吐出ノズル８を連通する吐出通路１２が設けられ、吸入通路１０にはポンプ室拡張時に開き収縮時に閉じる吸入弁１１が、吐出通路１２にはポンプ室拡張時には閉じ収縮時には開く吐出弁１３が設けられている。また、ポンプ本体２内には、ピストン３を常時ポンプ室の容積を拡張させる方向に付勢するばね部材１４が設けられている。
【００１４】
ポンプ本体２は、上端が開口する円筒状部材で、上端部に半径方向外方に向かって張り出すフランジ１５が設けられ、このフランジ１５が容器首部の頂面にガスケット１６を介して載置されている。また、ポンプ本体２のフランジ１５の付け根より筒部１５ａが立設され、アッパキャップ３の内面と密接に係合されている。
【００１５】
アッパキャップ３は、図２に示すように、ポンプ本体２の上端に被着される断面ハット形状のキャップ本体３１と、ポンプ本体２の上端開口部内周に嵌合される筒状の栓体部３２とを備えている。キャップ本体３１は、大径筒部３３と、大径筒部３３の下端から半径方向外方に向かって張り出すフランジ部３４と、大径筒部３３の上端から半径方向内方に向かって延びる天面部３５と、を備えた構成となっている。
栓体部３２の上端はキャップ本体３１の天面部３５下面に接続されており、さらに、天面部３５の下面中央には、ステム６を案内するガイド穴５を備えた円筒状のステムガイド３６上端が接続されている。
【００１６】
また、天面部３５上面中央には、ステムガイド３６のガイド穴５が開口しており、このガイド穴５を取り囲む円筒状の小径筒部３７が立設されている。
前記アッパキャップ３のキャップ本体３１を構成する大径筒部３３側面には、図２（Ｄ），（Ｅ）に示されるように雄ねじ１７が設けられ、図２（Ａ）点（Ｂ）に示されるエジェクタヘッド７の内周面の雌ねじ１８とねじ嵌合してエジェクタヘッド７を押し下げ状態に保持する構成となっている（図１（Ａ）参照）。
【００１７】
エジェクタヘッド７は、図２（Ａ），（Ｂ）で示されるとおり、ステム６に連通して内容液が吐出可能なノズル８を有しており、また頂面外側からは内面下部に雌ねじ１８が形成されたスカート部９が垂設されている。
【００１８】
コンテナキャップ１９は、内面に容器の首部と螺合可能なねじ２０ａが設けられた円筒部２０と円筒部２０の上面から内方に向かって張り出すフランジ部２１とが一体に成形されている。
【００１９】
ポンプディスペンサ１を容器に装着する場合、最初にポンプ本体２を組み付け、次いでアッパキャップ３の外面に設けられた雄ねじ１７とエジェクタヘッド７のスカート部９の内面に設けられた雌ねじ１８とを螺合してロックし、このロック状態のディスペンサをグリッパ等の把持機構で把持しながら容器内に挿入する。
この時、フランジ１５がガスケット１６を介して容器首部１００の頂面に載置され、コンテナキャップ１９を回転させて円筒部２０内面に設けられたねじ２０ａと容器首部１００のねじ１０１とを螺合させて装着が完了する。
【００２０】
次に、アッパキャップ３とエジェクタヘッド７に設けられる雄ねじ１７および雌ねじ１８について、図２を参照して詳細に説明する。
アッパキャップ３の雄ねじ１７は２条ねじで、アッパキャップ３の側面に互いに干渉しない２本のねじ山１７ａ，１７ｂを有し、それぞれの始端１７ｃ，１７ｄはアッパキャップ３の中心点を基準として約１８０°離間した位置に配置され、アッパキャップ３の側面の約１８０°の範囲にそれぞれのねじ山１７ａ，１７ｂが形成されている。
【００２１】
一方、エジェクタヘッド７の雌ねじ１８も２条ねじで、スカート部９の内側面にたがいに干渉しない２本のねじ山１８ａ，１８ｂを有し、それぞれの始端１８ｃ，１８ｄはエジェクタヘッド７の中心点を基準として約１８０°離間した位置に配置され、エジェクタヘッド７の内側面の約１８０°の範囲にそれぞれのねじ山１８ａ，１８ｂが形成されている。このねじ山１８ａとねじ山１８ｂの間の溝部分に、雄ねじ１７のねじ山１７ａ，１７ｂが進入してねじ係合する。
アッパキャップ３とエジェクタヘッド７との間には、エジェクタヘッド７のねじ込み量を規制するストッパ手段としてのストッパ機構５０が設けられている。
【００２２】
ストッパ機構５０は、この実施の形態では、アッパキャップ３の雄ねじ１７のねじ山１７ａ，１７ｂの終端近傍にねじストッパ５１を設け、このねじストッパ５１にエジェクタヘッド７の雌ねじ１８のねじ山１８ａ，１８ｂの始端１８ｃ，１８ｄを突き当てる構成となっている。ねじストッパ５１は、雌ねじ１８のねじ山１８ａ，１８ｂが通過する通路を遮る形で設けられ、この実施の形態では、雄ねじ１７の各ねじ山１８ａ，１８ｂの終端付近と下端のフランジ部３４との間の隙間を埋める凸部によって構成されている。
【００２３】
ねじストッパ５１の高さはねじ山１７ａ，１７ｂとほぼ同一高さで、その頂面５１ａの上側縁はねじ山１８ａ，１８ｂの頂面と連続し、下側縁がフランジ部３４に接続されている。また、ねじストッパ５１のねじ山終端１７ｃ，１７ｄと反対側の端面５１ｂが雌ねじ１８のねじ山先端１８ｃ，１８ｄが突き当たる端面で、この突き当て端面５１ｂはキャップ本体３１の中心に向かって大径筒部３３の円周接線方向に対してほぼ直角（回転方向に対してほぼ直角）となっている。また、ねじストッパ５１のねじ山終端１７ｃ，１７ｄ側の端面５１ｃは、頂面からねじ山終端に向けて徐々に高さが低くなる傾斜面となっている。
【００２４】
一方、エジェクタヘッド７の雌ねじ１８のねじ山１８ａ，１８ｂの始端１８ｃ，１８ｄは、通常はねじ山の断面が徐々に小さくなる不完全ねじ山として形成されるが、本実施の形態では、エジェクタヘッド７の中心軸線を通る面で完全ねじ山形状を切断した平坦面で、ねじストッパ５１，５１に対してねじ山１８ａ，１８ｂの最大断面が当接するようになっている。この本実施の形態では、ねじ山始端１８ｃ，１８ｄも、ねじストッパ５１の突き当て端面５１ｂに対応して、スカート部９内周の円周接線方向に対してほぼ直角（回転方向に対してほぼ直角）の平坦面となっており、ねじストッパ５１とスムースに接離するように平滑に構成される。
【００２５】
上記ねじストッパ５１の突き当て端面５１ｂおよび雌ねじ１８のねじ山始端１８ａ，１８ｂは、中心を通る直径線Ｎに対して、外径端より内径端位置が若干ねじの巻き初め方向に位相がずれた僅かな角度（α）だけ傾斜させている。
また、アッパキャップ３の天面部３５中央に立設される小径筒部３７の外面にはラチェット歯２２が設けられ、エジェクタヘッド７にはラチェット歯２２を弾性変形しながら乗り越えてラチェット歯２２の噛合面と噛合する係止片２５が設けられている。このラチェット歯２２と係止片２５によってロック時のねじの弛み止めを図っている。
【００２６】
ラチェット歯２２は断面半円形状で、アッパキャップ５の中心点を基準としてほぼ略１８０°離れた位置に２つ設けられている。また、２つのラチェット歯２２，２２は、２つのねじ山１７ａ、１７ｂの始端１７ｃ、１７ｄに対して所定角度離れた位置にそれぞれ設けられている。
一方、エジェクタヘッド７の頂面中心付近にはステム嵌合筒２３が垂設され、この嵌合筒２３とリブで連接された環状筒２４も頂面から垂設されている。この環状筒２４の下端は、雌ねじ１８の終端と高さがほぼ一致しており、環状筒２４の下部に、上記ラチェット歯２２に対して弾性変形しながら乗り越えることが可能な係止片２５が設けられている。係止片２５は、同一の回転方向（時計回転方向）に向って次第に厚くなるように形成され、その後中心方向に向かって垂直に切れ込んだ形状となる
【００２７】
ストッパ機構５０を構成するエジェクタヘッド７の雌ねじ１８のねじ山始端１８ｃ，１８ｄとアッパキャップ３のねじストッパ５１との当接位置は、エジェクタヘッド７の締め込み方向に沿って係止片２５がラチェット歯２２を乗り越えた後に係合する構成となっている。この実施の形態では、係止片２５とラチェット歯２２との噛合位置がストッパ機構５０の係合位置とほぼ同一位相に設定されている。
【００２８】
図３には、ロック時の、ストッパ機構５０と、ラチェット歯２２および係止片２５の位置関係を示している。
通常、アッパキャップ３の雄ねじ１７とエジェクタヘッド７のスカート部９の雌ねじ１８との螺合は雄ねじの始端１７ｃ、１７ｄが雌ねじ１８の終端近くまで進むとスカート部９の下端または環状筒２４の下端がアッパキャップ３の小径筒部３ａまたは大径筒部３ｂの天面に接して螺合が完了するが、本実施の形態のポンプディスペンサ１では、環状筒２４の下部に設けられた係止片２５が螺合の完了近くになるとラチェット歯２２に接し（図３（Ａ），（Ｂ）参照）、さらに螺合を進行させるキャッピング装置からのトルクを受けてラチェット歯２２に対して弾性変形しながら時計回転方向に乗り越える（図３（Ｃ）参照）。
【００２９】
そして、ラチェット歯２２を乗り越えると、係止片２５は元の状態に復元する。この時、エジェクタヘッド７の雌ねじ１８のねじ山始端１８ｃ，１８ｄがアッパキャップ３の大径筒部３３に形成されたねじストッパ５１に当接し、締め付け方向の回転が規制される。したがって、キャッピングを確実に停止させることができ、締め付け過ぎを防止することができる。
【００３０】
また、係止片２５がラチェット歯２２を乗り越えた後は、係止片２５の中心方向へ垂直に切れ込む噛合面とラチェット歯２２とが面接触するため、例えばポンプディスペンサ１がロック状態にある時に、不意にエジェクタヘッド７にロック状態を解除する力（開栓トルク）がかかっても、ラチェット歯２２と係止片２５の噛合面が噛み合って開栓が阻止されるため、不用意にロック状態が解除されることがない。
ロック状態を解除するためには、人指でしっかりとエジェクタヘッド７を回転することにより開栓トルクをかけ、係止片２５を反時計回転方向に弾性変形させてラチェット歯２２を乗り越えさせてロック状態を解除する。
【００３１】
次に本発明の他の実施の形態について説明する。
以下の説明では、上記実施の形態１と異なる点のみを説明するものとし、同一の構成部分については同一の符号を付して説明を省略するものとする。
実施の形態２
図６乃至図８は実施の形態２に係るポンプディスペンサのねじストッパ構成を示している。
この実施の形態２も、実施の形態１と同様に、図６に示すように、ストッパ機構１５０が、アッパキャップ３の雄ねじ１７のねじ山１７ａ，１７ｂの終端近傍に設けたストッパ１５１にエジェクタヘッド７の雌ねじ１１８のねじ山１１８ａ，１１８ｂの始端１１８ｃ，１１８ｄが係合する構成としたものである。
この実施の形態２では、エジェクタヘッド７のスカート部９に形成される雌ねじ１１８のねじ径（谷径）を大きくし、この雌ねじ１１８のねじ山１１８ａ，１８ｂに対応させてアッパキャップ３に形成されるねじストッパ１５１を大きくしたものである（図６（Ｂ），図７（Ａ），（Ｂ）参照、）。ねじストッパ１５１の頂部は、図７（Ｃ），（Ｄ）に示すように、雄ねじ１７のねじ山１７ａ，１７ｂの頂部よりも高くなっている。
【００３２】
この実施の形態２の場合も、図８に示すように、エジェクタヘッド７側に設けられた係止片２５がアッパキャップ３側のラチェット歯２２に接し（図３（Ａ），（Ｂ）参照）、さらに螺合を進行させるキャッピング装置からのトルクを受けてラチェット歯２２に対して弾性変形しながら時計回転方向に乗り越える（図３（Ｃ）参照）。この時、エジェクタヘッド７の雌ねじ１１８のねじ山始端１１８ｃ，１１８ｄがアッパキャップ３に形成されたねじストッパ１５１に当接し、締め付け方向の回転が規制される。
本実施の形態のように、ねじ山１８ａ，１８ｂを高くすると、ねじストッパ１５１との当接面積が大きくなりロックが確実となる。
【００３３】
実施の形態３
図９には本発明の実施の形態３に係るポンプディスペンサのねじストッパ構成を示している。
この実施の形態３では、実施の形態１のねじストッパ構成を逆転したもので、ストッパ機構２５０を、エジェクタヘッド７の雌ねじ１８のねじ山１８ａ，１８ｂの終端近傍に設けたストッパ２５１にアッパキャップ３の雄ねじ１７のねじ山始端１７ｃ，１７ｄが係合する構成としたものである。
雌ねじ１８のねじ山１８ａ，１８ｂは、スカート部９内周面にねじ溝を形成することによって相対的に形成されるものであり、ねじ溝終端のスカート部９内周面との段部をねじストッパ２５１としたものである。
アッパキャップ３側に形成される雄ねじ１７のねじ山始端１７ｃ，１７ｄについては、実施の形態１と同様に平面構成としている。
【００３４】
実施の形態４
図１０には本発明の実施の形態４に係るポンプディスペンサのストッパ構成を示している。
この実施の形態４では、ストッパ機構３５０をラック方式としたものである。
すなわち、ストッパ機構３５０は、図１０（Ａ）に示すように、エジェクタヘッド７のスカート部９下端とアッパキャップ３のフランジ部３４上面との間で上下方向に凹凸係合する凹部３５１および凸部３５２によって構成したものである。
【００３５】
凹部３５１と凸部３５２は、回転方向両端で当接しており、図１０（Ｆ）に示すように、締め付け方向に係合する係合端部３５１ａ，３５２ａは、回転方向に対して直交する面となっている。一方、弛み方向に係合する係合端部３５１ｂ，３５２ｂは弛み止めとなるもので、若干傾斜させている。傾斜面とすることにより、弛み止めを図りつつ開栓の容易化を図っている。
この実施の形態４の場合、ストッパ機構３５０が弛み止めも兼ねるので、実施の形態１乃至３のように、ゆるみ止めのためのラチェット歯と係止片の構成は不要である。
【００３６】
【発明の効果】
以上説明したように、本請求項１に記載の発明によれば、アッパキャップの外側面に雄ねじを設けて前記エジェクタヘッドの内周面の雌ねじとねじ嵌合してエジェクタヘッドを押し下げ状態に保持可能としたポンプディスペンサにおいて、アッパキャップとエジェクタヘッドとの間に、エジェクタヘッドのねじ込み量を規制するストッパ手段を設けたので、ストッパ手段によって適切な締め込み量が決まり、締め込み過ぎによる開栓不良を防止することができるし、締め込み不足によるロック不良を防止することができる。
さらに、アッパキャップには、外面にラチェット歯を有する略円筒状の筒を立設するとともに、前記エジェクタヘッドには前記ラチェット歯を弾性変形しながら乗り越えて前記ラチェット歯の噛合面と噛合する係止片が設けられ、ストッパ手段はエジェクタヘッドの締め込み方向に沿って係止片がラチェット歯を乗り越えた後に係合する構成となっているので、適切なロックと同時に弛み止めを図ることができる。
【００３７】
請求項２に記載の発明によれば、ストッパ手段を、アッパキャップの雄ねじのねじ山終端近傍に設けたストッパにエジェクタヘッドの雌ねじのねじ山始端が突き当たる構成としたので、適切な締め込み位置で確実にロックすることができる。
請求項３に記載の発明によれば、ストッパ手段を、エジェクタヘッドの雌ねじのねじ山終端近傍に設けたストッパにアッパキャップの雄ねじのねじ山始端が突き当たる構成としたので、請求項２と同様に、適切な締め込み位置で確実にロックすることができる。
【００３８】
請求項４に記載の発明によれば、ストッパ手段を、エジェクタヘッドの下端とアッパキャップ上面との間で上下方向に凹凸係合する構成したので、適切な締め込み位置でロックできると同時に弛み止めを図ることができる。
【図面の簡単な説明】
【図１】図１は本発明の実施の形態１に係るロック状態のポンプディスペンサを示すもので、同図（Ａ）は要部縦断面図、同図（Ｂ）は同図（Ａ）におけるストッパ機構と弛み止めラチェット歯と係止片との係合関係を示す図である。
【図２】図２は図１のポンプディスペンサのエジェクタヘッドとアッパキャップを示すもので、同図（Ａ）はエジェクタヘッドの縦断面図、同図（Ｂ）はエジェクタヘッドの底面図、同図（Ｃ）は同図（Ｂ）のＣ部拡大図、同図（Ｄ）はアッパキャップの正面図、同図（Ｅ）はアッパキャップの平面図、同図（Ｆ）は同図（Ｅ）のＦ部拡大図である。
【図３】図３は、ロック操作時のストッパ機構と弛み止めラチェット歯と係止片との係合関係を示す説明図である。
【図４】図４は図１（Ａ）のポンプディスペンサの全体構成を示す縦断面図である。
【図５】図５は図４のポンプディスペンサのエジェクタヘッドをロック解除状態の縦断面図である。
【図６】図６は本発明の実施の形態２に係るロック状態のポンプディスペンサを示すもので、同図（Ａ）は要部縦断面図、同図（Ｂ）は同図（Ａ）におけるストッパ機構と弛み止めラチェット歯と係止片との係合関係を示す図である。
【図７】図７は図６のポンプディスペンサのエジェクタヘッドとアッパキャップを示すもので、同図（Ａ）はエジェクタヘッドの縦断面図、同図（Ｂ）はエジェクタヘッドの底面図、同図（Ｃ）はアッパキャップの正面図、同図（Ｄ）はアッパキャップの平面図である。
【図８】図８は、実施の形態２のロック操作時のストッパ機構と弛み止めラチェット歯と係止片との係合関係を示す説明図である。
【図９】図９は本発明の実施の形態３に係るポンプディスペンサのエジェクタヘッドとアッパキャップを示すもので、同図（Ａ）はエジェクタヘッドの正面図、同図（Ｂ）はエジェクタヘッドの底面図、同図（Ｃ）は同図（Ａ）のＣ−Ｃ線拡大断面図、同図（Ｄ）はアッパキャップの正面図、同図（Ｅ）はアッパキャップの平面図、同図（Ｆ）は同図（Ｅ）のＦ部拡大図である。
【図１０】図１０は本発明の実施の形態４に係るポンプディスペンサのエジェクタヘッドとアッパキャップを示すもので、同図（Ａ）はエジェクタヘッドとアッパキャップのロック状態を示す正面図、同図（Ｂ）はエジェクタヘッドの正面図、同図（Ｃ）はエジェクタヘッドの底面図、同図（Ｄ）はアッパキャップの正面図、同図（Ｅ）はアッパキャップの平面図、同図（Ｆ）はストッパ機構の拡大図である。
【符号の説明】
１  ポンプディスペンサ、２  ポンプ本体、３  アッパキャップ
４  ピストン、５  ガイド穴、６  ステム、７  エジェクタヘッド、
８  吐出ノズル、９  スカート部、１４  ばね部材、１５  フランジ
１７  雄ねじ
１７ａ，１７ｂ  ねじ山、１７ｃ，１７ｄ  ねじ山始端
１８  雌ねじ
１８ａ，１８ｂ  ねじ山、１８ｃ，１８ｄ  ねじ山始端
２２  ラチェット歯
２５  係止片
５０  ストッパ機構（実施の形態１）、５１  ねじストッパ
１５０  ストッパ機構（実施の形態２）、１５１  ねじストッパ
２５０  ストッパ機構（実施の形態３）、２５１  ねじストッパ
３５０  ストッパ機構（実施の形態４）
３５１  凹部、３５２  凸部
【図１】
0004151276.tif 000002
【図２】
0004151276.tif 000003
【図３】
0004151276.tif 000004
【図４】
0004151276.tif 000005
【図５】
0004151276.tif 000006
【図６】
0004151276.tif 000007
【図７】
0004151276.tif 000008
【図８】
0004151276.tif 000009
【図９】
0004151276.tif 000010
【図１０】
0004151276.tif 000011